(57)【要約】【課題】保護回路を簡便な回路で構成することで、低コストで安全性の高いボルテージレギュレータを提供する。【解決手段】本発明のボルテージレギュレータは、保護回路が動作したことを示す信号を電流出力とし、応答性を改善するための制御回路に入力する構成とした。【選択図】図１
2017129929.tif 000002
【特許請求の範囲】
【請求項１】
出力電圧を出力する出力トランジスタと、
前記出力電圧を分圧して生成された分圧電圧を出力する分圧回路と、
基準電圧と前記分圧電圧とを比較し、前記出力電圧を一定にするよう前記出力トランジスタのゲートを制御する誤差増幅回路と、
所定条件が成立すると、前記出力トランジスタのゲートを制御し回路を保護する保護回路と、
前記出力電圧の変動時に前記出力電圧が安定するよう動作し、前記保護回路が動作したことを示す信号を受けて動作を停止する制御回路と、を備え、
前記保護回路が動作したことを示す信号は、電流出力であることを特徴とするボルテージレギュレータ。
【請求項２】
前記保護回路は、
前記所定条件を判定する判定回路と、前記判定回路の出力電圧を受けて前記出力トランジスタのゲートを制御する第一のＭＯＳトランジスタと、前記判定回路の出力電圧を受けて前記保護回路が動作したことを示す信号を出力する第二のＭＯＳトランジスタと、を備えたことを特徴とする請求項１に記載のボルテージレギュレータ。
【請求項３】
前記保護回路は、
前記第二のＭＯＳトランジスタの出力電流を入力とするカレントミラー回路を更に備えたことを特徴とする請求項２に記載のボルテージレギュレータ。
【発明の詳細な説明】
【技術分野】
【０００１】
本発明は、保護回路を備えたボルテージレギュレータに関する。
【背景技術】
【０００２】
一般的に、携帯電話等の電子機器は、充電式のバッテリによって動作している。このバッテリの充電状態が変動しても、電子機器への出力電圧が変動せず、電子機器が安定して動作するように、ボルテージレギュレータがバッテリに対して設けられている。また、ボルテージレギュレータは、電子機器による負荷が急激に変動しても、電子機器への出力電圧が変動せず、電子機器が安定して動作するようにしているが、ボルテージレギュレータの出力電圧をさらに安定させるための制御回路が設けられていることもある。
【０００３】
図３は、従来のボルテージレギュレータ３０の回路図である。出力電圧ＶＯＵＴを出力する出力トランジスタ３１と、出力電圧ＶＯＵＴを分圧して分圧電圧ＶＦＢを出力する分圧抵抗３２と、基準電圧ＶＲＥＦと分圧電圧ＶＦＢとが一致するよう動作し、出力電圧ＶＯＵＴを一定にするよう出力トランジスタ３１を制御する誤差増幅回路３２と、ボルテージレギュレータ３０を保護する保護回路３３と、出力電圧ＶＯＵＴの変動を検出して出力電圧ＶＯＵＴが安定するよう動作する制御回路３４と、を備えている。
【０００４】
保護回路３３は、例えば出力トランジスタ３１に過電流が流れた場合などの異常を検出して、電源電圧レベルの信号を出力して、出力トランジスタ３１をオフするように制御する。
制御回路３４は、出力電圧ＶＯＵＴが低下したことを検出して、出力トランジスタ３１をオフするように制御する。
【０００５】
ここで、制御回路３４は、保護回路３３が動作したことを示す電源電圧レベルの信号を受けて動作を停止するため、保護回路３３によって出力電圧ＶＯＵＴが低く制御された場合、制御回路３４が出力電圧ＶＯＵＴを高くするよう動作しない。従って、ボルテージレギュレータの安全性が高くなる（例えば、特許文献１参照）。
【先行技術文献】
【特許文献】
【０００６】
【特許文献１】特開２００８−２０４０１８号公報
【発明の概要】
【発明が解決しようとする課題】
【０００７】
しかしながら、保護回路３３は、異常を検出するための電圧などは中間電位であるアナログ信号しか存在しない。従って、保護回路３３は、出力信号をアナログ信号からデジタル信号に変換する回路が必要になる。
【０００８】
本発明は、以上のような課題を解決するために考案されたものであり、保護回路を簡便な回路で構成することで、低コストで安全性の高いボルテージレギュレータを実現するものである。
【課題を解決するための手段】
【０００９】
従来の課題を解決するために、本発明のボルテージレギュレータは以下のような構成とした。
出力電圧を出力する出力トランジスタと、前記出力電圧を分圧して生成された分圧電圧を出力する分圧回路と、基準電圧と前記分圧電圧とを比較し、前記出力電圧を一定にするよう前記出力トランジスタのゲートを制御する誤差増幅回路と、所定条件が成立すると、前記出力トランジスタのゲートを制御し回路を保護する保護回路と、前記出力電圧の変動時に前記出力電圧が安定するよう動作し、前記保護回路が動作したことを示す信号を受けて動作を停止する制御回路と、を備え、前記保護回路が動作したことを示す信号は、電流出力であることを特徴とするボルテージレギュレータ。
【発明の効果】
【００１０】
本発明のボルテージレギュレータによれば、保護回路が動作したことを示す保護回路の出力信号を電流出力としたことで、保護回路を簡便な回路で構成することが可能となり、低コストで安全性の高いボルテージレギュレータを実現できる、という効果がある。
【００１１】
また、保護回路が動作したことを示す保護回路の出力電流を、ボルテージレギュレータの出力トランジスタのゲートを制御するトランジスタと、ゲートとソースを共通とするトランジスタのドレイン電流、もしくは、前記ドレイン電流を入力とするカレントミラー回路によって生成された電流とすることで、わずかな素子の追加で安全性の高いボルテージレギュレータを実現できるという効果がある。
【図面の簡単な説明】
【００１２】
【図１】本実施形態のボルテージレギュレータの一例を示す回路図である。
【図２】本実施形態のボルテージレギュレータの他の例を示す回路図である。
【図３】従来のボルテージレギュレータの回路図である。
【発明を実施するための形態】
【００１３】
以下、本実施形態について、図面を参照して説明する。
図１は、本実施形態のボルテージレギュレータの一例を示す回路図である。
本実施形態のボルテージレギュレータは、出力電圧ＶＯＵＴを出力するＰＭＯＳトランジスタの出力トランジスタ１１と、出力電圧ＶＯＵＴを分圧して分圧電圧ＶＦＢを出力する分圧抵抗１５と、基準電圧ＶＲＥＦと分圧電圧ＶＦＢとが一致するよう動作し出力電圧ＶＯＵＴを一定にするよう出力トランジスタ１１を制御する誤差増幅回路１２と、ボルテージレギュレータを保護する保護回路１３と、電源電圧や出力電圧ＶＯＵＴの変動を検出して誤差増幅回路１２を制御して出力電圧ＶＯＵＴが安定するよう動作する制御回路１４と、を備えている。
【００１４】
保護回路１３は、ボルテージレギュレータを保護すべき所定条件を判定する判定回路５３と、判定回路５３によりゲートを制御され出力トランジスタ１１のゲート電圧を制御するＰＭＯＳトランジスタ５４と、判定回路５３によりゲートを制御され所定条件のときに保護回路１３の出力として電流を出力するＰＭＯＳトランジスタ５５で構成されている。
【００１５】
制御回路１４は、所定条件になり保護回路１３が動作したことを示す保護回路１３の出力電流を受けて動作を停止するよう構成されている。
上述したようなボルテージレギュレータは、以下のように保護回路が動作したときの安全性を高めるように動作する。
【００１６】
保護回路１３は、過電流状態や過熱状態といったボルテージレギュレータを保護すべき所定条件を判定回路５３によって判定し、ＰＭＯＳトランジスタ５４のゲートを制御することで流れるＰＭＯＳトランジスタ５４の電流によって、ボルテージレギュレータの出力トランジスタ１１のゲート電圧を上昇させ、出力トランジスタ１１に流れる電流を低下させる。その結果、出力電圧ＶＯＵＴが低下する。
【００１７】
この時、制御回路１４が出力電圧ＶＯＵＴの低下を検出して、誤差増幅回路１２を制御し、出力電圧ＶＯＵＴを所定の電圧に戻すよう動作した場合は、誤差増幅回路１２は出力トランジスタ１１のゲート電圧を低下させるよう動作し、出力トランジスタ１１に流れる電流が増加してボルテージレギュレータの安全性が損なわれるが、本実施形態のボルテージレギュレータの制御回路１４は、保護回路１３が動作したことを示すＰＭＯＳトランジスタ５５から出力される出力電流を受けて動作を停止するため、出力トランジスタ１１に流れる電流は保護回路１３によって制御された電流となる。
【００１８】
以上記載したように、本実施形態のボルテージレギュレータによれば、保護回路１３が動作したことを示す保護回路１３の出力信号を電流出力としたことで、保護回路内に電源電圧とグランド電圧の中間電位となるアナログ信号しか存在しない場合でも、アナログ信号から、信号の遷移状態を除き電源電圧もしくはグランド電圧しかとらないデジタル信号を生成する回路を不要にすることが可能となり、わずかな素子の追加で安全性の高いボルテージレギュレータを実現できるという効果がある。
【００１９】
特に、保護回路１３が動作したことを示す保護回路１３の出力電流を、ボルテージレギュレータの出力トランジスタ１１のゲートを制御するトランジスタ５４と、ゲートとソースを共通とするトランジスタ５５のドレイン電流とすることで、わずか１素子の追加で安全性の高いボルテージレギュレータを実現することが可能となった。
【００２０】
図２に、他の実施形態のボルテージレギュレータの回路図を示す。図２のボルテージレギュレータの保護回路５２は、カレントミラー回路５６を備え、保護回路５２が動作したことを示す出力電流を、ＰＭＯＳトランジスタ５５のドレイン電流を入力とするカレントミラー回路５６の出力電流としている。
【００２１】
カレントミラー回路５６は、同業者には一般に広く知られているように、電流値を変換する機能や、ソース電流をシンク電流へ、もしくは、シンク電流をソース電流へと、電流の方向を変換する機能を有している。
【００２２】
以上記載したように、本実施形態のボルテージレギュレータによれば、出力電圧ＶＯＵＴが安定するよう動作する制御回路１４の回路形式や、制御回路１４の保護回路５２から出力される出力電流を入力する接点に応じて、適切な大きさや方向の電流を出力することが可能となった。
【符号の説明】
【００２３】
１２  電圧増幅回路
１３  保護回路
１４  制御回路
１５  分圧抵抗
５３  判定回路
５６  カレントミラー回路
【図１】
2017129929.tif 000003
【図２】
2017129929.tif 000004
【図３】
2017129929.tif 000005